(57)【要約】【課題】  気象観測等に用いる低周波用の大型の八木アンテナであって、組み立てが容易な構造の八木アンテナを提供する。【解決手段】  長手方向にガイドを有し、設置場所に立設される主柱と、前記ガイドに沿って移動可能に前記主柱に取り付けられた複数のホルダーと、前記複数のホルダーの一つに取り付けられた放射器と、前記一つのホルダーより送信方向側に位置するホルダーに取り付けられた導波器と、前記一つのホルダーより前記送信方向と反対側に位置するホルダーに取り付けられた反射器と、前記複数のホルダーを前記ガイドに沿ってスライドすることで、前記主柱の所定の位置に固定する機構とを備えることで、組み立てが容易な八木アンテナを得る。【選択図】          図１
2005142714.tif 000002
【特許請求の範囲】
【請求項１】
長手方向にガイドを有し、設置場所に立設される主柱と、
前記ガイドに沿って移動可能に前記主柱に取り付けられた複数のホルダーと、
前記複数のホルダーの一つに取り付けられた放射器と、
前記一つのホルダーより送信方向側に位置するホルダーに取り付けられた導波器と、
前記一つのホルダーより前記送信方向と反対側に位置するホルダーに取り付けられた反射器と、
前記複数のホルダーを前記ガイドに沿ってスライドすることで、前記主柱の所定の位置に固定する機構とを備えることを特徴とする八木アンテナ。
【請求項２】
前記機構は、前記複数のホルダー同士を接続し、それぞれ展張することで前記各ホルダー間の間隔を所定の間隔に保つことを特徴とする請求項１記載の八木アンテナ。
【請求項３】
前記機構は、逆回転防止機構付きジョイントを有するリンクであることを特徴とする請求項２記載の八木アンテナ。
【請求項４】
互いに異なる方向に向いて、かつ、互いに所定の間隔をもって設けられた複数のストッパー用穴、および、長手方向にガイドとを有し、設置場所に立設される主柱と、
前記ガイドに沿って移動可能に前記主柱に取り付けられ、前記一のストッパー用穴と嵌り合うストッパーを有する複数のホルダーと、
前記一のホルダーに取り付けられた放射器と、
前記一のホルダーより送信方向側に位置するホルダーに取り付けられた導波器と、
前記一のホルダーより前記送信方向と反対側に位置するホルダーに取り付けられた反射器とを備えることを特徴とする八木アンテナ。
【請求項５】
前記主柱は長手方向上端にワイヤーガイドを有し、
前記各ホルダー同士を接続し、前記ワイヤーガイドを介して前記主柱の設置面で一端が固定されるワイヤーとを備えることを特徴とした請求項１記載の八木アンテナ。
【発明の詳細な説明】
【技術分野】
【０００１】
本発明は、八木アンテナの構造に関するものであって、上方の送受信を行う成人の平均身長を超える八木アンテナの組み立てを容易に行うものである。
【背景技術】
【０００２】
大気の観測を行う大型の八木アンテナは、長波長の電波を送受信するため高さ３〜４ｍ程度の主柱にそれぞれが長さ３ｍ程度の導波器、放射器、反射器を取り付ける必要があり、かつ、そのような大型の八木アンテナが所定の間隔を持って所定の領域に複数設けられ全体として１つのアレイアンテナとして用いられる必要があった。そのため、このような大型の八木アンテナを立設するためには、各アンテナ部材をあらかじめ主柱に取り付けた後、アンテナ全体を持ち上げて設置するか、あるいは、主柱をあらかじめ立設した後で導波器、放射器、反射器を主柱に取り付けて組み立てる。（例えば、非特許文献１）
【０００３】
【非特許文献１】京都大学超高層電波研究センター紹介カタログ  ｐ．５
【発明の開示】
【発明が解決しようとする課題】
【０００４】
しかし、上記のように、主柱に導波器、放射器、反射器をあらかじめ取り付けた後、アンテナ全体を持ち上げて設置する場合、導波器等が高い位置にあることからアンテナの重心が高い位置に存在する。そのため、アンテナを鉛直方向に向くように持ち上げ設置するためには主柱にワイヤーを取り付けて、それを引っ張りながら立ち上げるため周囲に広い空間が必要である。一方、主柱をあらかじめ設置した後、導波器、放射器、反射器をそれぞれ別々に、脚立の昇降を繰り返して組み立てる必要があり、設置場所における組立作業効率が悪かった。
【課題を解決するための手段】
【０００５】
本発明は、上記の問題点を解決するためになされたものであり、長手方向にガイドを有し、設置場所に立設される主柱と、前記ガイドに沿って移動可能に前記主柱に取り付けられた複数のホルダーと、前記複数のホルダーの一つに取り付けられた放射器と、前記一つのホルダーより送信方向側に位置するホルダーに取り付けられた導波器と、前記一つのホルダーより前記送信方向と反対側に位置するホルダーに取り付けられた反射器と、前記複数のホルダー同士を接続し、それぞれ展張することで前記各ホルダー間の間隔を所定の間隔に保つ機構とを備えるものである。
【発明の効果】
【０００６】
本発明に係る八木アンテナは、長手方向にガイドを有し、設置場所に立設される主柱と、前記ガイドに沿って移動可能に前記主柱に取り付けられた複数のホルダーと、前記複数のホルダーの一つに取り付けられた放射器と、前記一つのホルダーより送信方向側に位置するホルダーに取り付けられた導波器と、前記一つのホルダーより前記送信方向と反対側に位置するホルダーに取り付けられた反射器と、前記複数のホルダー同士を接続し、それぞれ展張することで前記各ホルダー間の間隔を所定の間隔に保つ機構とを備え、組み立てが容易な構造の八木アンテナを提供するものである。
【発明を実施するための最良の形態】
【０００７】
実施の形態１．
以下、本発明の実施の形態１について説明する。図１は本発明の実施の形態１に係る八木アンテナの構造を示す図である。本発明の実施の形態１に係る八木アンテナは、大気の状態や、天体現象等を観測することを目的とするものであり、長波長の電波を受信するため、導波器、放射器、反射器の各アンテナ部材はそれぞれ約３ｍの長さが必要である。また、各アンテナ部材同士は数十ｃｍの間隔をもって主柱に取り付けられる。そして、この八木アンテナは、所定の範囲内に互いに４〜６ｍの間隔を持って配置され、全体として１つのアレイアンテナとして機能する。
【０００８】
図１に示すように主柱１には長手方向にガイド溝１ａが設けられており、このガイド溝１ａとホルダ５の突起部５ａとが嵌り合うことでホルダ５に取り付けられた導波器２、放射器３が長手方向にのみ移動可能に設けられている。導波器２、放射器３、反射器４が取り付けられた各ホルダ５の間は、ラチェット機構付きジョイント７を有するリンク６によって接続されている。
【０００９】
このような構成の八木アンテナを、リンク６を展張しない状態でアンテナ全体を地面に設置する。アンテナ全体を地面に設置する際には、導波器２等は低い部分に位置するため、重心が低く立ち上げやすい。そして、立ち上げた主柱１に取り付けられた導波器２を棒状冶具８を使用して主柱１の長手方向にリンク６が完全に展張するまで動かすと、ラチェット機構付きジョイント７によって、導波器２と放射器３が所定の間隔を保つよう固定される。図１では導波器２と放射器３の間のリンク６を完全に展張し、一方、放射器３と反射器４の間のリンク６は未だ展張していない状態を示している。次に、同様に反射器３を棒状冶具８によって主柱１の長手方向上側に向かってリンク６が完全に展張するまで動かすと、ラチェット機構付きジョイント７によって、放射器３と反射器４との間が所定の間隔となるよう固定される。
【００１０】
なお、最初に放射器３を導波器２と一緒に持ち上げて、放射器３および反射器４を所定の間隔で固定した後、導波器２を持ち上げても良い。その他、図２に示したように、棒状治具８の代わりに、主柱１の上端に設けられたワイヤーガイド１０を介し、導波器２、放射器３、反射器４のホルダー５同士を接続したワイヤー１１によって引っ張ることで導波器２と放射器３間のリンクが展張してラチェット付きジョイント７により所定の間隔が保たれ、次に、放射器３と反射器４間のリンクが展張してラチェット付きジョイント７により所定の間隔が保たれることとなる。
【００１１】
さらに、ワイヤー１１によって各リンクを展張したあと、地面に固定したアンカー１２に取り付けることによって、ワイヤー１１をアンテナの耐風性能を向上させるための支線として使用することができる。
【００１２】
なお、以上の例ではアンテナ素子として棒状の導波器、放射器、反射器のみを示したが、その他、円偏波を用いて送受信を行う場合は、これらの素子を十文字に組み立てて用いる。
【００１３】
以上のように本発明の実施の形態１では、導波器、放射器、反射器が取り付けられた各ホルダー同士をラチェット機構付きジョイントを有するリンクによって接続することで、組み立てが容易な八木アンテナを得る。
【００１４】
実施の形態２．
図３（ａ）は実施の形態２に係る八木アンテナの構造を示す図である。図１と同じ構成要素には同じ符号を付す。図３（ａ）に示したように、本実施の形態２では、主柱１には長手方向に延びるガイド溝１ａと複数のストッパー用穴１ｂが設けられている。このストッパー用穴１ｂはそれぞれ設けられた方向が異なっている。導波器２、放射器３、反射器４はそれぞれがホルダー９に取り付けられている。各ホルダー９は突起部９ａを有しており、この突起部９ａがガイド溝１ａに嵌ることで、ホルダー９をスライドさせて所定の位置まで移動させることができる。
【００１５】
また、各ホルダー９は、図３（ｂ）に示したように、ばね９ｃのついたストッパー９ｂを有しており、ホルダー９が所定の位置までスライドされると、主柱１の当該所定の位置に設けられたストッパー用穴１ｂにストッパー９ｂが嵌りこむことで導波器２等の各アンテナ素子を所定の位置に固定する。
【００１６】
次に、組立方法について説明する。まず、あらかじめ上から順番に導波器２、放射器３、反射器４が低位置に取り付けられた主柱１を地面に立設する。次に、導波器２を、組立用冶具８を用いて主柱１の長手方向にストッパー９ｂとストッパー用穴１ｂが同じ位置になるまで持ち上げると、ばね９ｃが伸びることによってストッパー９ｂがストッパー用穴１ｂに嵌りあい、導波器２は所定の位置に固定される。
【００１７】
同様に、放射器３、反射器４の順にこれらを主柱１の長手方向に持ち上げると、ストッパー９ｂがストッパー用穴１ｂに嵌り合うことで、放射器３、反射器４は所定の位置に固定される。導波器２、放射器３、反射器４を所定の位置に固定するためのストッパー９ｂとストッパー用穴１ｂは、それぞれ対向する所定の方向に向いており、例えば、導波器２のストッパー９ｂが他のアンテナ素子用のストッパー用穴１ｂと嵌り合うことはない。
【００１８】
以上のように、本発明の実施の形態２に係る八木アンテナは、ホルダーにストッパーを設け、ストッパーと主柱に設けたストッパー用穴とが嵌り合うことでホルダーに取り付けられた各アンテナ素子を固定するので、棒状治具もしくはワイヤー等によって各アンテナ素子を主柱に設けられたガイドに沿ってスライドさせるだけで各アンテナ素子を所定の位置に移動し、固定することができるので、組み立てが容易な八木アンテナを得ることができる。
【００１９】
なお、上記実施の形態１と同様に、主柱１の上端にワイヤーガイドを設け、各ホルダーに接続したワイヤーを地上からワイヤーガイドを介して引っ張ることで各アンテナ素子を持ち上げて、所定の位置にて固定してもよい。さらに、固定後は地面に設けたアンカーにワイヤーを取り付けることで、主柱の耐風性能の向上を図ってもよい。
【産業上の利用可能性】
【００２０】
本発明は、大型の八木アンテナ装置に関するものであり、複数の八木アンテナを所定の間隔を持って配置し、一つのアレイアンテナとして用いる場合に有用である。
【図面の簡単な説明】
【００２１】
【図１】本発明の実施の形態１に係る八木アンテナの構造を示す図である。
【図２】本発明の実施の形態１に係る八木アンテナの別の形態を示す図である。
【図３】（ａ）本発明の実施の形態２に係る八木アンテナの構造を示す図である。（ｂ）本発明の実施の形態２に係る八木アンテナのホルダーの構造を示す図である。
【符号の説明】
【００２２】
１  主柱、    １ａ  ガイド溝、    ２  導波器、    ３  放射器、    ４  反射器、
５  ホルダー、    ５ａ  突起部、    ６  リンク、
７  ラチェット機構付きジョイント、    ８  棒状治具、
９  ストッパー付きホルダー、    ９ａ  突起部、    ９ｂ  ストッパー、
９ｃ  ばね、    １０  ワイヤーガイド、    １１  ワイヤー、    １２  アンカー。
【図１】
2005142714.tif 000003
【図２】
2005142714.tif 000004
【図３】
2005142714.tif 000005